(57)【要約】【課題】何台もの精密機械を扱う場合でも、抵コストでそれらの精密機械の周辺温度を所定温度に調整することが可能な温度調整システムを提供することを目的とする。【解決手段】天井部２と、天井部２の周囲に沿って設けられるカーテン３と、天井部２とカーテン３の隙間を覆うカバー部４と、天井部２とカーテン３とにより囲まれる空間の温度を所定温度に調整する換気ユニット５及びコントロールパネル６と、エアーコンディショナ７とを備えて温度調整システム１を構成する。【選択図】図１
2007217977.tif 000002
【特許請求の範囲】
【請求項１】
天井部と、
前記天井部の周囲に沿って設けられるカーテンと、
前記天井部と前記カーテンとにより囲まれる空間の温度を所定温度に調整する温度調整手段と、
を備えることを特徴とする温度調整システム。
【請求項２】
請求項１に記載の温度調整システムであって、
前記天井部と前記カーテンの隙間を覆うカバー部を備える、
ことを特徴とする温度調整システム。
【請求項３】
請求項１に記載の温度調整システムであって、
前記カーテンは、前記天井部の周囲方向に折り畳まれるようにして伸縮する、
ことを特徴とする温度調整システム。
【請求項４】
請求項１〜３の何れか１項に記載の温度調整システムであって、
前記カーテンは、透明な部材により形成されている、
ことを特徴とする温度調整システム。
【発明の詳細な説明】
【技術分野】
【０００１】
本発明は、温度変化に影響を受け易い機械の周囲温度を所定温度に調整するための温度調整システムに関する。
【背景技術】
【０００２】
温度変化に影響を受け易い機械として、例えば、マイクロ単位で対象物を所定形状に加工するマシニングセンタやマイクロ単位で対象物の寸法を測定する３次元測定器などの精密機械がある。このような精密機械は、温度変化により対象物が少しでも膨張または収縮すると、正確に加工や測定を行うことができなくなってしまう。
【０００３】
そこで、このような精密機械で対象物を加工したり測定したりする場合は、精密機械を設置することが可能な大きさの部屋をつくり、その部屋の温度を所定温度に保つ必要がある。特に、温度変化により大きさが変化し易い対象物を精密機械で加工したり測定したりする場合は、部屋の温度を厳重に管理する必要がある（例えば、特許文献１参照）。
【特許文献１】特開２０００−２９１９８９号公報
【発明の開示】
【発明が解決しようとする課題】
【０００４】
しかしながら、上述のように、精密機械を設置可能な部屋をつくり、その部屋の中の温度を所定温度に保つ場合では、加工や測定の効率を上げるためにその部屋に精密機械を何台も設置させようとすると、当然ながらその部屋を大きくする必要があり、部屋を大きくさせればさせるほど天井や壁などを構成する部材が多く必要となる。そのため、何台もの精密機械を部屋の中に設置させようと部屋全体を大きくさせる場合、部屋全体を支える柱や梁の強度を上げる必要があり、その分コストが多くかかるという問題がある。
【０００５】
そこで、本発明は、何台もの精密機械を扱う場合でも、抵コストでそれらの精密機械の周辺温度を所定温度に調整することが可能な温度調整システムを提供することを目的とする。
【課題を解決するための手段】
【０００６】
上記の課題を解決するために本発明では、以下のような構成を採用した。
すなわち、本発明の温度調整システムは、天井部と、前記天井部の周囲に沿って設けられるカーテンと、前記天井部と前記カーテンとにより囲まれる空間の温度を所定温度に調整する温度調整手段とを備える。
【０００７】
このように、天井部とカーテンとによりある空間を囲み、その空間の温度を所定温度に調整する構成としているため、その空間に精密機械を設置することによりその精密機械の周囲温度を所定温度に調整することができる。
【０００８】
また、カーテンは、天井部を支える必要がないため、軽量な材質で構成することができ、天井部やカーテンを支えるための柱や梁の強度をあまり上げる必要がない。これにより、何台もの精密機械を扱う場合でも、天井や壁などで囲まれる部屋に精密機械を設置しその部屋の温度を所定温度に保つ場合に比べて、柱や梁が支える部分を少なくすることができるため、その分コストがかからず低コストで精密機械の周囲温度を所定温度に調整することができる。
【０００９】
また、上記温度調整システムは、前記天井部と前記カーテンの隙間を覆うカバー部を備えるように構成してもよい。
これにより、天井部とカーテンの隙間において空気の出入りが抑えられるので、天井部とカーテンとにより囲まれる空間の温度をさらに精度よく所定温度に調整することができる。
【００１０】
また、上記カーテンは、前記天井部の周囲方向に折り畳まれるようにして伸縮されるように構成してもよい。
これにより、作業者は天井部とカーテンとにより囲まれる空間に容易に出入りすることができる。
【００１１】
また、上記カーテンは、透明な部材で構成されていてもよい。
これにより、作業者は天井部とカーテンにより囲まれる空間の外からでも精密機械の様子をみることができる。
【発明の効果】
【００１２】
本発明によれば、何台もの精密機械を扱う場合でも、抵コストでそれらの精密機械の周辺温度を所定温度に調整することができる。
【発明を実施するための最良の形態】
【００１３】
以下、本発明の実施形態を図面を用いて説明する。
図１は、本発明の実施形態の温度調整システムの斜視図であり、図２は、本発明の実施形態の温度調整システムの平面図であり、図３は、本発明の実施形態の温度調整システムの側面図である。
【００１４】
図１〜図３に示す温度調整システム１は、天井部２と、天井部２の周囲に沿って設けられるカーテン３と、天井部２とカーテン３の隙間を覆うカバー部４と、天井部２に設けられる換気ユニット５と、換気ユニット５の駆動を制御するためのコントロールパネル６と、エアーコンディショナ７と、天井部２に設けられる照明８と、照明８のオン、オフを行うスイッチ９とを備えて構成されている。なお、特許請求の範囲に記載される温度調整手段は、例えば、換気ユニット５、コントロールパネル６、及びエアーコンディショナ７により構成されるものとする。また、上記温度調整手段は、換気ユニット５及びコントロールパネル６のみ、または、エアーコンディショナ７のみにより構成されてもよい。また、図２及び図３は、カーテン３及びカバー部４を省略している。
【００１５】
上記温度調整システム１は、例えば、工場内に設けられるものであって、天井部２とカーテン３とにより囲まれる空間に精密機械（例えば、マイクロ単位で対象物を所定形状に加工するマシニングセンタやマイクロ単位で対象物の寸法を測定する３次元測定器など）が設置される。そして、換気ユニット５やエアーコンディショナ７によりその空間の温度を所定温度に調整することにより、精密機械の周囲温度を所定温度に調整する。
【００１６】
上記天井部２は、図３に示すように、天井部２の端部が工場の壁に固定されると共に、支持部材１０により工場の天井から吊り下げられるようにして工場の天井に固定され、かつ、支柱１１により工場の床と固定されている。なお、支持部材１０や支柱１１の本数は特に限定されない。
【００１７】
上記カーテン３は、図４（ａ）に示すように、上部に滑車１２を備え、天井部２の周囲に沿って設けられるカーテンレール１３上を滑車１２が転がることにより天井部２の周囲に沿って可動する。また、カーテン３は、滑車１２を中心にして回転する回動部材１４に取り付けられている。また、カーテン３は、図４（ｂ）に示すように、適当な大きさの複数枚の蛇腹状に形成されたポリ塩化ビニルが互いに止め具１５により繋ぎ合わされて構成され、工場の壁に固定される部分以外の天井部２の周囲全体を覆っている。このように構成されるカーテン３は、天井部２の周囲方向に折り畳まれるようにして伸縮する。また、このように構成されるカーテン３は、天井部２の周囲全体を覆う程の大きさの１枚のポリ塩化ビニルを蛇腹状に形成してカーテン３を構成する場合に比べて、安価に構成することができ温度調整システム１の製造コストを抑えることができる。また、カーテン３は、図１に示すように、適当な位置において止め具１５ではなくマグネット１６により繋ぎ合わせるように構成し、各マグネット１６を互いに離したり着けたりすることによりできる開閉部分を作業者の出入り口としている。このようにカーテン３を構成することにより、作業者は天井部２とカーテン３とにより囲まれる空間に容易に出入りすることができる。また、精密機械を可動させていないときや精密機械を天井部２下方に運び入れたり外に運び出したりするときは、カーテン３を折り畳んで１つにまとめ邪魔にならない位置に移動させておくことができる。また、カーテン３をポリ塩化ビニルにより構成しているので、カーテン３を軽量にすることができる。なお、カーテン３の材質は、安価で軽量なものであれば、ポリ塩化ビニルに限定されない。また、カーテン３を透明な部材で形成することにより、作業者は天井部２とカーテン３とにより囲まれる空間の外から精密機械の様子をみることができる。
【００１８】
上記カバー部４は、図４（ｃ）に示すように、天井部２の外部側面に取り付けられ、材質はポリ塩化ビニルなど特に限定されない。このように、カバー部４を備えることにより、カバー部４に沿って回り込まない限り天井部２とカーテン３の隙間から空気が出入りできなくなるので、天井部２とカーテン３の隙間での空気の出入りが抑えられ、天井部２とカーテン３とにより囲まれる空間の温度をさらに精度よく所定温度に調整することができる。
【００１９】
図２または図３に示すように、上記換気ユニット５は、電源１７により駆動し、天井部２とカーテン３とにより囲まれる空間の空気を吸入する吸引口１８と、吸引口１８から吸引された空気を工場の外部へ排気する排気口１９と、工場の外部の空気を吸引する吸引口２０と、吸引口２０から吸引された空気を所定温度（例えば、１８〜２２℃）にする熱交換部２１と、熱交換部２１により所定温度になった空気を天井部２とカーテン３とにより囲まれる空間内に給気する給気口２２とを備えて構成されている。
【００２０】
上記コントロールパネル６は、例えば、換気ユニット５の駆動状況や熱交換部２１の設定温度を表示するディスプレイや作業者が操作を行う操作ボタンなどを備えて構成されている。
【００２１】
上記エアーコンディショナ７は、電源１７により駆動し、天井部２とカーテン３とにより囲まれる空間の空気を暖めたり冷やしたりするものである。
上記照明８も、電源１７により駆動し、天井部２に６つ設けられている。なお、照明８の個数は特に限定されない。
【００２２】
このように、本実施形態の温度調整システム１は、天井部２とカーテン３とによりある空間を囲み、その空間の温度を所定温度に調整する構成であるため、その空間に精密機械を設置することによりその精密機械の周囲温度を所定温度に調整することができる。
【００２３】
また、カーテン３は、天井部２を支える必要がないため、軽量な材質で構成することができ、天井部２やカーテン３を支えるための柱や梁の強度をあまり上げる必要がない。これにより、何台もの精密機械を扱う場合でも、天井や壁などで囲まれる部屋に精密機械を設置しその部屋の温度を所定温度に保つ場合に比べて、柱や梁が支える部分を少なくすることができるため、その分コストがかからず低コストで精密機械の周囲の温度を所定温度に調整することができる。
【図面の簡単な説明】
【００２４】
【図１】本発明の実施形態の温度調整システムの斜視図である。
【図２】本発明の実施形態の温度調整システムの平面図である。
【図３】本発明の実施形態の温度調整システムの側面図である。
【図４】（ａ）は、滑車及びカーテンレールを示す図である。（ｂ）は、カーテンの構成を示す図である。（ｃ）は、天井部とカーテンの隙間を覆うカバー部を示す図である。
【符号の説明】
【００２５】
１  温度調整システム
２  天井部
３  カーテン
４  カバー部
５  換気ユニット
６  コントロールパネル
７  エアーコンディショナ
８  照明
９  スイッチ
１０  支持部材
１１  支柱
１２  滑車
１３  カーテンレール
１４  回動部材
１５  止め具
１６  マグネット
１７  電源
１８  吸引口
１９  排気口
２０  吸引口
２１  熱交換部
２２  給気口
【図１】
2007217977.tif 000003
【図２】
2007217977.tif 000004
【図３】
2007217977.tif 000005
【図４】
2007217977.tif 000006